(57)【要約】【課題】  普段使い慣れている携帯電話に特定階の処理項目を表示し、携帯電話の電話番号を暗証コードとし、エレベータ側に命令を送信する時、それらを一緒に送信することで操作性を向上させたエレベータ装置を得る。【解決手段】  携帯電話１から特定階の登録を行なう情報を送信する送信手段と、この送信手段から送信された特定階の登録の情報をエレベータ装置２側が受け取る受信手段２１とを備え、この受信手段が受け取った特定階の登録情報を運転制御装置２４に伝送し、運転制御装置の処理結果を携帯電話１へ送信するようにしたものである。【選択図】    図１
2005124023.tif 000002
【特許請求の範囲】
【請求項１】
携帯電話から特定階の登録を行なう情報を送信する送信手段と、この送信手段から送信された特定階の登録の情報をエレベータ装置側が受け取る受信手段とを備え、この受信手段が受け取った特定階の登録情報を運転制御装置に伝送し、運転制御装置の処理結果を携帯電話へ送信することを特徴とするエレベータ装置。
【請求項２】
携帯電話から特定階の呼びを行なう情報を送信する送信手段と、この送信手段から送信された特定階の呼び情報をエレベータ装置側が受け取る受信手段とを備え、この受信手段が受け取った特定階の呼び情報を運転制御装置に伝送し、運転制御装置の処理結果を携帯電話へ送信することを特徴とするエレベータ装置。
【請求項３】
携帯電話から特定階の表示を行なう情報を送信する送信手段と、この送信手段から送信された特定階の表示の情報をエレベータ装置側が受け取る受信手段とを備え、この受信手段が受け取った特定階の表示の情報を運転制御装置に伝送し、運転制御装置の処理結果を携帯電話へ送信し、それを携帯電話の表示部に表示することを特徴とするエレベータ装置。
【請求項４】
携帯電話から送信する情報に携帯電話の電話番号からなる暗証コードを付加することを特徴とする請求項１〜請求項３のいずれかに記載のエレベータ装置。
【請求項５】
エレベータ装置に運転制御装置へアクセスを許可する暗証コードを保持し、携帯電話から受信した情報に含まれている暗証コードと照合を行なう機能を有することを特徴とする請求項４記載のエレベータ装置。
【発明の詳細な説明】
【技術分野】
【０００１】
この発明は、エレベータ装置、特に携帯電話から特定階の登録ができるエレベータ装置に関するものである。
【背景技術】
【０００２】
従来、特定階の登録を行なうには、エレベータのかご内にある行先釦を使い、暗証コード及び特定階の入力を行なっていた。また、登録した特定階の呼びを行なう際にも、エレベータのかご内にある行先釦を使い、暗証コード及び特定階の入力を行なっていた。しかし、登録した特定階を確認するための表示機能についてはこれまでなかった。
また、暗証コード入力の代わりに指紋読み取り装置を用いて守秘性を高めるものが提案されている（例えば、特許文献１参照）。また、携帯電話を使用したエレベータの情報伝送方法及び呼び登録方法が提案されている（例えば、特許文献２参照）。
【０００３】
【特許文献１】特開平１１−３２２２０３号公報
【特許文献２】特開２００２−１４５５４８号公報
【発明の開示】
【発明が解決しようとする課題】
【０００４】
特許文献１記載のものは、暗証コードの代わりに指紋読み取り装置を用い、守秘性を高めているが、操作性については何も開示されていない。また、特許文献２記載のものは、携帯電話を使用したエレベータの情報伝送方法及び呼び登録方法が開示されているが、利用者の使用制限については何も行なっていない。
【０００５】
この発明は、上述のような課題を解決するためになされたもので、その目的は、普段使い慣れている携帯電話に特定階の処理項目を表示し、携帯電話の電話番号を暗証コードとし、エレベータ側に命令を送信する時、それらを一緒に送信することで操作性を向上させるようにしたエレベータ装置を提供するものである。
【課題を解決するための手段】
【０００６】
この発明に係るエレベータ装置は、携帯電話から特定階の登録を行なう情報を送信する送信手段と、この送信手段から送信された特定階の登録の情報をエレベータ装置側が受け取る受信手段とを備え、この受信手段が受け取った特定階の登録情報を運転制御装置に伝送し、運転制御装置の処理結果を携帯電話へ送信するようにしたものである。
【発明の効果】
【０００７】
この発明は、携帯電話から特定階の登録を行なう情報を送信する送信手段と、この送信手段から送信された特定階の登録の情報をエレベータ装置側が受け取る受信手段とを備え、この受信手段が受け取った特定階の登録情報を運転制御装置に伝送し、運転制御装置の処理結果を携帯電話へ送信するようにしたので、携帯電話による操作は一覧表示から選択する上、表示内容に沿って操作するので特定階の処理手順を理解する必要がなく簡単になる。
また、この発明によれば、暗証コードとして携帯電話の電話番号を使用し、要求情報をエレベータに送信する時自動的に付加するようになっているので暗証コードを覚えておく必要がない上、入力が不要である。
【発明を実施するための最良の形態】
【０００８】
実施の形態１．
図１はこの発明の実施の形態１におけるエレベータ装置を示すシステム構成図である。
【０００９】
携帯電話１から送信された情報は公衆回線３により伝送され、エレベータ装置２内の受信手段である外部入出力装置２１により受信され、サーバ２２を介して暗証コード照合部２３へ伝えられ、登録利用者と判断された場合は運転制御装置２４に出力されて処理される。
運転制御装置２４での処理の結果、得られた情報は暗証コード照合部２３へ送られ、携帯電話１に出力する情報の一部として設定される。設定された情報はサーバ２２を介して外部入出力装置２１に伝えられ、公衆回線３により伝送され、携帯電話１に送信される。なお、携帯電話１は、表示部１１、カーソル移動部１２、入力部１３等を備えている。
【００１０】
図２は、エレベータ装置側における特定階の処理を行なう際のフローチャートである。携帯電話１からの特定階の登録などの要求情報をエレベータ装置２側の外部入出力装置２１により受信すると、ステップＳ２００からスタートし、ステップＳ２０１へ進んで要求情報の１つである暗証コードすなわち携帯電話の電話番号を抽出する。暗証コード抽出後ステップＳ２０２に進み、運転制御装置２４に格納してある特定階のアクセス許可者の暗証コード（携帯電話の電話番号）と照合を行なう。照合の結果、登録利用者と判断された場合はステップＳ２０３へ進み、運転制御装置２４で特定階の処理を実施し、ステップＳ２０４で結果をレスポンス情報に格納する。また登録利用者と判断されなかった場合はステップ２０４へ進み、イリーガルの結果をレスポンス情報に格納する。レスポンス情報を携帯電話１に送信するとステップＳ２０５に進み終了する。
運転制御装置２４では伝送された要求情報の命令コード、及び詳細内容により特定階の処理を行なう。命令コードが「表示」のときは格納している特定階を出力する。
照合の結果が登録利用者であると判断した場合、レスポンス情報の結果コードにＡＣＫを設定する。要求情報が「表示」の場合は登録されている特定階を詳細内容に設定する。また登録利用者と判断されなかった場合は結果コードにＮＡＣＫ、詳細内容にイリーガル情報を設定する。
【００１１】
図３は、携帯電話１側における特定階の処理を行なう際のフローチャートである。携帯電話１の表示部１１に表示されている選択画面から特定階の処理を選択すると、ステップＳ３００からスタートし、ステップＳ３０１へ進み暗証コード（携帯電話の電話番号）を付加した要求情報を生成してエレベータ側へ送信する。送信後ステップＳ３０２へ進みレスポンス待ち状態になる。エレベータ側からのレスポンス情報を受信するとステップＳ３０３へ移り、そのままステップＳ３０４で詳細内容を携帯電話１の表示部１１に表示する。表示が終了すると、ステップＳ３０５に進み終了する。
暗証コードは携帯電話１の電話番号を使用することは上記したとおりであり、携帯電話１のメモリに格納されている電話番号を読み出し、それを暗証コードとして設定する。
レスポンス情報の結果コードがＡＣＫの場合、正常に行なわれたことを表示部１１に表示して終了する。詳細内容が格納されているときはその内容も表示する。結果コードがＮＡＣＫの場合はイリーガルが発生したことと詳細内容を表示する。
【００１２】
図４は、携帯電話１の表示部１１において特定階の処理項目一覧を示した選択画面の表示例である。項目を縦一列に表示するとともに候補選択中の項目を反転表示する。候補選択は携帯電話のカーソル移動部１２の上下ボタンを使って移動させ、実行する項目を決定する。
【００１３】
図５は、携帯電話１の表示部１１において先ほどの図４より「登録」を選択した時の登録画面の表示例である。携帯電話１の入力部１３の数字ボタンを使って登録する特定階を入力する。
【００１４】
図６は、携帯電話１の表示部１１において先ほどの図４より「呼び」を選択した時の呼び画面の表示例である。携帯電話１の入力部１３の数字ボタンを使って行先の特定階を入力する。
【００１５】
図７は、携帯電話１の表示部１１において先ほどの図４より「表示」を選択した時の表示画面の例である。エレベータからのレスポンス情報を受信するまでの間、表示する。
【００１６】
図８は、携帯電話１の表示部１１において先ほどの図７より、レスポンス情報を受け取った時の表示画面の例である。現在エレベータに登録されている特定階を表示する。
【図面の簡単な説明】
【００１７】
【図１】この発明の実施の形態１におけるエレベータ装置のシステム構成図である。
【図２】この発明の実施の形態１におけるエレベータ装置側の特定階処理を示すフローチャートである。
【図３】この発明の実施の形態１における携帯電話側の特定階処理を示すフローチャートである。
【図４】この発明の実施の形態１における携帯電話の選択画面を示す図である。
【図５】この発明の実施の形態１における携帯電話の特定階を登録する登録画面を示す図である。
【図６】この発明の実施の形態１における携帯電話の特定階の行先を指定する呼び画面を示す図である。
【図７】この発明の実施の形態１における携帯電話のレスポンス情報受信待ちの表示画面を示す図である。
【図８】この発明の実施の形態１における携帯電話の登録済みの特定階を表示する表示画面を示す図である。
【符号の説明】
【００１８】
１  携帯電話
２  エレベータ装置
３  公衆回線
１１  表示部
１２  カーソル移動部
１３  入力部
２１  外部入出力装置（受信手段）
２２  サーバ
２３  暗証コード照合部
２４  運転制御装置
【図１】
2005124023.tif 000003
【図２】
2005124023.tif 000004
【図３】
2005124023.tif 000005
【図４】
2005124023.tif 000006
【図５】
2005124023.tif 000007
【図６】
2005124023.tif 000008
【図７】
2005124023.tif 000009
【図８】
2005124023.tif 000010